(57)【要約】【課題】左右方向の十分な長さを備えた天板を有する八足机を出し入れ自在に内蔵した神徒壇を提供する。【解決手段】神徒壇（１１）の下部の収納空間（１７）と、天板（２１）の左右両端部（２１ａ）（２１ｂ）を左右方向に折り畳み自在となした八足机（１９）とを備え、該八足机をその天板の左右両端部を折り畳んだ状態で該収納空間内に引き出し自在に摺嵌し、該八足机を収納空間の外方に引き出したときに天板の左右両端部を広げるようにしたことを特徴とする神徒壇。神徒壇の下部の収納空間（１７）と、天板（２１）の左右両端部（２１ａ）（２１ｂ）を左右方向に折り畳み自在となした八足机（１９）とを備え、該八足机をその天板の左右両端部を折り畳んだ状態で該収納空間内に出し入れ自在に収納し、該八足机を収納空間の外方に取り出したときに天板の左右両端部を広げるようにしたことを特徴とする神徒壇。【選択図】図２
0003104638.tif 000002
【実用新案登録請求の範囲】
【請求項１】
神徒壇の下部の収納空間と、天板の左右両端部を左右方向に折り畳み自在となした八足机とを備え、
該八足机をその天板の左右両端部を折り畳んだ状態で該収納空間内に引き出し自在に摺嵌し、該八足机を収納空間の外方に引き出したときに天板の左右両端部を広げるようにしたことを特徴とする神徒壇。
【請求項２】
神徒壇の下部の収納空間と、天板の左右両端部を左右方向に折り畳み自在となした八足机とを備え、
該八足机をその天板の左右両端部を折り畳んだ状態で該収納空間内に出し入れ自在に収納し、該八足机を収納空間の外方に取り出したときに天板の左右両端部を広げるようにしたことを特徴とする神徒壇。
【考案の詳細な説明】
【技術分野】
【０００１】
本考案は、神徒壇に関するものであり、特に八足机を出し入れ自在に内蔵した神徒壇に係るものである。
【背景技術】
【０００２】
神徒壇は、神徒用祭壇として従来より使用されている。神徒壇においては、仏壇の経机に対応する八足机がしばしば使用される。図６における符号１は、神徒壇用の八足机の一例を示す。
【０００３】
八足机を出し入れ自在に内蔵した神徒壇は従来知られていない。
【０００４】
なお、実用新案登録第３０３３７３２号公報は、経机を収納する仏壇の下台を開示している。
【特許文献１】実用新案登録第３０３３７３２号公報
【考案の開示】
【考案が解決しようとする課題】
【０００５】
実用新案登録第３０３３７３２号公報に開示されている経机を収納する仏壇の下台においては、経机は単に仏壇の下台に備えさせた収納空間内に出し入れ自在に収納されているに過ぎないものである。従って、経机における天板の左右方向の長さは下台に備えさせた収納空間の間口よりも小さい。即ち、該経机の天板は左右方向の長さが小さすぎるため、使い勝手が悪く、体裁面でも好ましくない。
【０００６】
本考案は、上記従来の技術における上述の如き問題を解決し、左右方向の十分な長さを備えた天板を有する八足机を出し入れ自在に内蔵した神徒壇を提供しようとしてなされたものである。
【課題を解決するための手段】
【０００７】
上記課題を解決するために、本考案は下記の神徒壇を提供する。
【０００８】
（１）神徒壇の下部の収納空間と、天板の左右両端部を左右方向に折り畳み自在となした八足机とを備え、
該八足机をその天板の左右両端部を折り畳んだ状態で該収納空間内に引き出し自在に摺嵌し、該八足机を収納空間の外方に引き出したときに天板の左右両端部を広げるようにしたことを特徴とする神徒壇（請求項１）。
【０００９】
（２）神徒壇の下部の収納空間と、天板の左右両端部を左右方向に折り畳み自在となした八足机とを備え、
該八足机をその天板の左右両端部を折り畳んだ状態で該収納空間内に出し入れ自在に収納し、該八足机を収納空間の外方に取り出したときに天板の左右両端部を広げるようにしたことを特徴とする神徒壇（請求項２）。
【００１０】
［考案の作用］
［請求項１の考案］
八足机は、神徒壇下部の収納空間内に引き出し自在に摺嵌されている。換言すれば、八足机は、家具等における引き出しの如く、該収納空間の内外方向に摺動自在に配設されている。
【００１１】
八足机を使用しないときには、該八足机はその天板の左右両端部を折り畳んだ状態で神徒壇下部の収納空間内に収納される。
【００１２】
八足机を使用する際には、該八足机を収納空間から外方（神徒壇の前方）に引き出し（図２、図４参照）、天板の左右両端部を広げる。しかるときは、天板は十分な左右方向の長さを有する。
【００１３】
［請求項２の考案］
八足机は、神徒壇下部の収納空間に対し出し入れ自在である。
【００１４】
八足机を使用しないときには、該八足机はその天板の左右両端部を折り畳んだ状態で神徒壇下部の収納空間内に収納される。
【００１５】
八足机を使用する際には、該八足机を収納空間から外部（神徒壇の前方）に取り出し（図５参照）、天板の左右両端部を広げる。しかるときは、天板は十分な左右方向の長さを有する。
【考案の効果】
【００１６】
本考案によれば、神徒壇下部の収納空間に八足机を出し入れ自在に収納したため、非使用時における八足机は神徒壇下部の収納空間に収納することができる。従って、八足机を収納するスペースを別に用意する必要はない。また、八足机は神徒壇下部の収納空間に収納されているため、八足机の収納位置は使用位置に近接している。従って、使用時に八足机を準備する作業は極めて容易である。
【００１７】
八足机はその天板の左右両端部を折り畳んだ状態で神徒壇下部の収納空間内に収納され、使用時には、八足机を収納空間から神徒壇の前方に引き出し、若しくは取り出し、天板の左右両端部を広げるようにしたため、八足机の天板は十分な左右方向の長さを有する。
【考案を実施するための最良の形態】
【００１８】
符号１１に示すものは神徒壇である。図１に示す神徒壇１１は、内部にお宮１３を備えている。符号１５に示すものは神徒壇１１の開閉扉である。
【００１９】
神徒壇１１は、下部に収納空間１７を備えている。
【００２０】
符号１９に示すものは、天板２１の左右両端部２１ａ、２１ｂをヒンジ２３を介して左右方向に折り畳み自在となした八足机である。
【００２１】
図２〜図４に示す事例においては、八足机１９をその天板２１の左右両端部２１ａ、２１ｂを折り畳んだ状態で収納空間１７内に引き出し自在に摺嵌し、該八足机１９を収納空間１７の外方に引き出したときに天板２１の左右両端部２１ａ、２１ｂを広げるようにしている。
【００２２】
八足机１９を収納空間１７内に引き出し自在に摺嵌するために、図４に示す事例においては、八足机１９には下部を後方に延長してなる後方延長部１９ａを備えさせ、該後方延長部１９ａを収納空間１７の底部１７ａと該底部１７ａの直上の抑え部１７ｂとの間の隙間２０内に摺嵌している。
【００２３】
図５に示す事例においては、八足机１９をその天板２１の左右両端部２１ａ、２１ｂを折り畳んだ状態で収納空間１７内に出し入れ自在に収納し、該八足机１９を収納空間１７の外方に取り出したときに天板２１の左右両端部２１ａ、２１ｂを広げるようにしている。
【図面の簡単な説明】
【００２４】
【図１】本考案による神徒壇の一例を示す正面図である。
【図２】同上神徒壇において、八足机を収納空間の外方に引き出した状態を示す斜視図である。
【図３】同上神徒壇において、八足机を収納空間の外方に引き出し、天板の左右両端部を広げた状態を示す斜視図である。
【図４】同上神徒壇において、八足机を収納空間の外方に引き出した状態を示す断面図である。
【図５】本考案による別の神徒壇において、八足机を収納空間の外方に取り出した状態を示す断面図である。
【図６】従来の八足机を示す斜視図である。
【符号の説明】
【００２５】
１  従来の八足机
１１  神徒壇
１３  お宮
１５  開閉扉
１７  収納空間
１７ａ  底部
１７ｂ  抑え部
１９  八足机
１９ａ  後方延長部
２０  隙間
２１  天板
２１ａ  端部
２１ｂ  端部
２３  ヒンジ
【図１】
0003104638.tif 000003
【図２】
0003104638.tif 000004
【図３】
0003104638.tif 000005
【図４】
0003104638.tif 000006
【図５】
0003104638.tif 000007
【図６】
0003104638.tif 000008